(57)【要約】【課題】  箱形ユニットの作製には設備を備えた組立てラインと精通した熟練作業員を必要とし、輸送時の衝突，衝撃，相互間のこすりなどによる損傷を防止するために頑健な資材にて梱包しなければならず、しかも箱形ユニットはその形状から嵩ばってコンテナに積載できる個数が非常に少なくなるために輸送回数がふえて輸送コストを高くするとともに発散するＣＯ2の排出量を増大させているという社会的な課題があり、また設置現場に大小の箱形ユニットの大きな保管場所を確保せねばならないという多くの課題がある。【解決手段】  本発明はクリーンエアー吹出しの共用型モジュウルを収容し取付けする大小の箱形ユニットにおいて、外箱を四角形板とその四周に傾斜側板を設けた逆角皿形に形成して多数枚を積み重ねて嵩ばらずに設置現場に向けて輸送し、設置現場においてビス止めにより大小の箱形ユニットを簡単に組立てられるようにして、上記したすべての課題を解決するようにしたのである。【選択図】  図１
2011179729.tif 000002
【特許請求の範囲】
【請求項１】
クリーンエアー吹出しの共用型モジュウルを収容し取付けする大小の箱形ユニットにおいて、外箱を四角形板とその四周に傾斜側板を設けた逆角皿形形状にて形成して多数枚を積み重ねて嵩ばらないようにして設置現場に向けて輸送し得るようにし、設置現場において大小の箱形ユニットに組立てるようにしたことを特徴とするクリーンエアー吹出し供給用箱形ユニットの輸送と組立て方法。
【請求項２】
外箱は四角形板の相対二辺にのみ傾斜側板を設けて形成し、輸送前または輸送後の設置現場において残り二辺の傾斜側板を取付けする請求項１に記載のクリーンエアー吹出し供給用箱形ユニットの輸送と組立て方法。
【請求項３】
外箱の四角形板間に緩衝材を敷入れて積み重ね輸送する請求項１または２に記載のクリーンエアー吹出し供給用箱形ユニットの輸送と組立て方法。
【発明の詳細な説明】
【技術分野】
【０００１】
本発明は精密機器などを備えたクリーンルーム内にクリーンエアーを吹出し供給する大小の箱形ユニットの輸送と組立て方法に関するものである。
【背景技術】
【０００２】
半導体製造などの設備を備えたクリーンルーム内には天井面または壁面あるいはその双方に設置した多数の大小した箱形ユニットよりクリーンエアーを吹出し供給するようにしているが、この箱形ユニットは設置場所の面積，形状等に合わせて大小各種の箱形ユニットを組み合わせて多数個を設置し、さらに設置のための支え枠などに合わせるために、知られている代表的な大小のサイズからそれぞれ数ミリ乃至数センチ大小する箱形ユニットも作製せねばならず、しかも各外箱の大きさに合わせて大小したクリーンエアー吹出し機器を個別に外箱内に収容し取付けすることで箱形ユニットの作製には多くの手間がかかり、従って大小多数の箱形ユニットの組立てに多くの時日を要し、互換性がないことから作り置きすることもできないために、しばしば納期に遅れるという課題があり、この課題を解決する手段として本願出願人は先に特願２００８−１６８６０２にて、大小の外箱内に収容するクリーンエアーの吹出し機器を単一大きさにて共用する共用型モジュウルを発明して、大小の箱形ユニットの組立てを能率的にする提案をした。
【先行技術文献】
【特許文献】
【０００３】
【特許文献１】特願２００８−１６８６０２
【発明の開示】
【発明が解決しようとする課題】
【０００４】
しかしながら、箱形ユニットを作製するには、外箱内に共用型モジュウルを芯合わせして嵌付けるための設備を備えた組立てラインと、外箱によって囲まれてめくらとなるなかで共用型モジュウルを固定するために精通した熟練作業員を必要とし、しかして組み立てられた箱形ユニットは輸送時に衝突，衝撃，相互間のこすれなどにより損傷することを防止するために保形性にすぐれた梱包材にて頑健に梱包しなければならないという課題があった。
【０００５】
さらに組立てられた大小多種の箱形ユニットは箱形によって嵩ばって輸送コンテナに積載できる個数が非常に少なくなるために設置現場までの輸送回数がふえて輸送コストが高くなるほか、輸送回数が多となることで輸送車輌から発散するＣＯ2の排出量が増大するという社会的な課題があり、また設置現場には多数の箱形ユニットを置く大きな保管場所を確保せねばならないなどの多くの課題があった。
【０００６】
特に前記した数ミリから数センチ大小するなどの標準サイズ外に大小した箱形ユニットは、コンテナ車などに積込む際にはみ出したり、積載不能の小さな隙間が生じたりするために積み残されるなどの課題があった。
【課題を解決するための手段】
【０００７】
本発明は、箱形ユニットを組立て前の状態、すなわちクリーンエアーを吹出しする共用型モジュウルと、大小の外箱と取付部材およびフィルターを各別に設置現場まで輸送し、設置現場において簡単に組立てることができるようにしたのである。
特に外箱は輸送効率を高め且つ組立てを容易にするために、緩衝部材を挟んで多数枚を嵩ばらずに積み重ね輸送することができるようにし、しかも簡単に組立てられるように四角形の天板とその四辺に一定の傾斜角にてつながる傾斜側板を設けて形成して、標準サイズ外の大小した外箱も積み重ね輸送することで設置現場に洩れなく輸送し得るようにして、かかる課題を解決したのである。
【発明の効果】
【０００８】
箱形ユニットを構成する外箱を逆角皿形形状としたので、積み重ねて嵩ばらずに多数枚を一度に輸送することができて輸送効率を飛躍的に向上させることができるという効果を生ずる。数ミリから数センチ大小するなど標準サイズ外の大小した外箱も積み重ね輸送することで積み残されずに輸送されることとなる効果を生ずる。
【０００９】
傾斜側板の傾斜角を最適角とすることで接面積み重ね外箱間に緩衝材を密に敷入れることができて相互のこすり傷を防止することができるという効果を生ずる。
【００１０】
外箱を逆角皿形形状としたことで組立てラインを不要にして且つ目視により熟練を要すことなしに簡単にビス止め取付けすることができて箱形ユニットの組立てをきわめて容易にするという効果を生ずる。
【００１１】
コンテナ車などの輸送回数が少なくなってＣＯ2の排出量を大きく削減し、また輸送コストを低減することができるという効果を生ずる。
外箱の輸送の際の梱包が不要または簡便になるほか、設置現場においても輸送時と同様に積み重ね保管することで、大きな設置現場を不要にするという効果を生ずる。
【図面の簡単な説明】
【００１２】
【図１】共用型モジュウル，外箱，取付部材および枠付フィルターを組立て前の状態にて示す斜視図
【図２】同、組立てた状態の斜視図
【図３】（ａ）は外箱を積み重ねた状態を示す部分拡大断面図、同、天板間に緩衝材を敷き容れした例を示す図
【図４】外箱の第２の形成例を示す斜視図
【図５】（ａ）は箱形ユニットをクリーンルームの天井裏に並べて配備した１例を示す平面図、（ｂ）は同、断面図
【符号の説明】
【００１３】
１は箱形ユニット
２はクリーンエアー吹出し用の共用型モジュウル
２ａは送風ファン
２ｂは制御器
３は逆角皿形をした外箱
３ａは四角形状の天板
３ｂは傾斜側板
３ｃは天板の中間開口
３ｄはスリット
４は取付部材
５は枠付フィルター
７はビス
８はクリーンルーム
９は天井裏
１０は通風床面
１１は通風路
１２は半導体製造などの設備
Ｋは緩衝材
【発明を実施するための形態】
【００１４】
本発明は、クリーンエアーを吹出し供給する多数の大小した箱形ユニットを組立て前の部材別にて工場から設置現場に輸送し、設置現場においてビス止めによる簡単な手段にて大小の箱形ユニットに組立ててクリーンルームの天井裏，壁面などに設置し得るようにする。
輸送の効率化と組立てを簡便とするために外箱は四角形状をした天板の四周に傾斜側板を有す逆角皿形形状にして、嵩ばらない接面積み重ね輸送を可能とし、設置現場では各傾斜側板の端部を枠付フィルターにビス止めすることで箱形ユニットを簡単に組立て得るようにする。
【実施例１】
【００１５】
図１乃至図３は第１実施例であって、外箱３を四角形の天板３ａとその四周に傾斜側板３ｂを一体に設けた逆角皿形形状にて形成する。逆角皿形の高さは共用型モジュウル２が収まる高さである。枠付フィルター５は外箱３に簡単にビス７止め取付けすることができるように四周に枠５ａを有して形成する。
【００１６】
取付部材４は外箱３と同幅の長さにて形成し、相対する傾斜側板３ｂの中間下に設けたスリット３ｄから平面端部をそれぞれ表出して外箱３とともに枠付フィルター５にビス７止めし、共用型モジュウル２の背面を取付部材４にビス７止めするようになっている。
【００１７】
工場からは共用型モジュウル２と外箱３，取付部材４，枠付フィルター５のそれぞれを各別の状態にて設置現場に向けて輸送する。
外箱３を逆角皿形形状としたことで嵩ばらずに接面積み重ねることができて一度に多数枚を輸送することができることとなる。
【００１８】
傾斜側板３ｂの傾斜角を天板３ａに対して１７.５度かその近辺にすることで積み重ね天板３ａ間に２ｍｍ弱の隙間をつくり、その隙間に２ｍｍ強厚程度の緩衝材Ｋを敷入れることですり傷などが生じないようにすることができる。これによって積み重ねた多数枚の外箱は保形性にすぐれた梱包材による厳重な梱包を要しないこととなり、梱包・開封の手間が軽減され、梱包材資源を節約することができることとなる。
【００１９】
設置現場では、各部材の到着を待って箱形ユニット１に組立てるのである。外箱３を逆角皿形体としたことで共用型モジュウル２を目視しながら簡単にビス７止めして内挿し得、枠付フィルター５も外箱３の鍔部に枠５ａを合わせることで簡単にビス７止めすることができる。
共用型モジュウル２は前面を天板３ａの中間開口３ｃの縁で、また背面は取付部材４にてそれぞれビス７止めされて固定することとなる。
【００２０】
かくて設置現場が必要とする大小多数の箱形ユニット１および支え骨構造の違いなどに合わせて作製する標準外の大小サイズの箱形ユニット１も容易に組立てて揃えることができることとなる。
【実施例２】
【００２１】
図４は第２実施例であって、逆角皿形の外箱３を相対二辺に傾斜側板３ｂがない状態で作製し、輸送前または輸送後の設置現場において残り二辺の傾斜側板３ｂを溶接付けするようにしたほかは前例と同じである。
【産業上の利用可能性】
【００２２】
本発明は、クリーンルームの天井裏，壁面等に設置する多数の大小したクリーンエアー吹出し供給用箱形ユニットの工場から設置現場までの輸送と現場組立てに広く利用することができるものである。
【図１】
2011179729.tif 000003
【図２】
2011179729.tif 000004
【図３】
2011179729.tif 000005
【図４】
2011179729.tif 000006
【図５】
2011179729.tif 000007